(57)【要約】【課題】他商品との差別化が図れ、携帯情報機器の性能を適宜にアピールすることができる携帯情報機器商品見本を提供する。【解決手段】液晶画面等の画面表示部分を模した模擬画面表示部を有する携帯情報機器商品見本１において、レンチキュラーレンズ５と、該レンチキュラーレンズの背面に重ねられ、該レンチキュラーレンズを通して見る角度が変わることにより見える形態が変化する多重画像表示６とからなる多重画像表示体７を前記模擬画面表示部に備えた。【選択図】　　　　図１
2004004747.tif 000002
【特許請求の範囲】
【請求項１】
液晶画面等の画面表示部分を模した模擬画面表示部を有する携帯情報機器商品見本において、レンチキュラーレンズと、該レンチキュラーレンズの背面に重ねられ、該レンチキュラーレンズを通して見る角度が変わることにより見える形態が変化する多重画像表示とからなる多重画像表示体を前記模擬画面表示部に備えたことを特徴としてなる携帯情報機器商品見本。
【請求項２】
多重画像表示体は多重画像表示をレンチキュラーレンズの背面に印刷することにより形成されてなる請求項１に記載の携帯情報機器商品見本。
【請求項３】
レンチキュラーレンズがＡＢＳ製である請求項１若しくは２に記載の携帯情報機器商品見本。
【発明の詳細な説明】
【０００１】
【発明の属する技術分野】
本発明は、主に携帯電話機等の携帯情報機器の販売促進を目的として店頭などに展示される携帯情報機器商品見本に関する。
【０００２】
【従来の技術】
従来、携帯電話機等の携帯情報機器の販売店では、盗難（万引）や取り落とすことによる破損を考慮して、内部の高価な電子部品や液晶画面等を取り外し、その電子部品等とほぼ同じ重量の錘を内蔵し、液晶画面等の画面表示部分にはそれを真似た模擬画面表示部を備えた外観モックアップ（商品見本）を店頭に展示し、顧客はその外観モックアップにより携帯電話機等の携帯情報機器の外観、重量及び質感を体感することができるようになっている。
【０００３】
【発明が解決しようとする課題】
しかし、上述のような従来の技術では、他の商品との差異がわかり難く、販売促進の観点から問題があり、一方では、インターネット等の情報技術の発達によって様々なｗｅｂページや多彩なカラー画面を携帯電話等の携帯情報機器でも見ることができるようになったにも関わらず、それらの外観商品見本の模擬画面表示部には一つの画像を模したシールを貼る等しかされておらず、それらの多彩な画面表示及び機能を有することが顧客に十分アピールすることができていないという問題があった。
【０００４】
本発明は、このような従来の技術の状況を鑑み、他商品との差別化が図れ、携帯情報機器の性能を適宜にアピールすることができる携帯情報機器商品見本を提供することを目的とする。
【０００５】
【課題を解決するための手段】
上述の如き従来の問題を解決し、所期の目的を達成するための本発明の特徴は、液晶画面等の画面表示部分を模した模擬画面表示部を有する携帯情報機器商品見本において、レンチキュラーレンズと、該レンチキュラーレンズの背面に重ねられ、該レンチキュラーレンズを通して見る角度が変わることにより見える形態が変化する多重画像表示とからなる多重画像表示体を前記模擬画面表示部に備えたことにある。
【０００６】
尚、多重画像表示体は多重画像表示をレンチキュラーレンズの背面に印刷することにより形成されたことが好ましく、レンチキュラーレンズがＡＢＳ製であることが好ましい。
【０００７】
【発明の実施の形態】
次に、本発明に係る携帯情報機器商品見本の実施の形態を図１、２について説明する。
【０００８】
図において、１は携帯電話機の展示用商品見本であり、商品見本１は、実際の携帯電話機と略同様の外観に形成された外殻ケース２と、外殻ケース２の前面下方に配置され実際の携帯電話機と同様なクリック感が得られる模擬キーボードスイッチ３と、外殻ケース２の前面上方に配置され液晶画面等の画面表示部を模した模擬画面表示部４とを備えている。
【０００９】
模擬画面表示部４には、レンチキュラーレンズ５と、レンチキュラーレンズ５の背面に重ねられ、レンチキュラーレンズ５を通して見る角度が変わることにより見える形態が変化する多重画像表示６とからなる多重画像表示体７が外殻ケース２の内面側から嵌め込まれ、外殻ケース２と一体的に備えられた無色透明な可視カバーを介して表面に露出されるようになっている。
【００１０】
レンチキュラーレンズ５は、図２に示すように、薄板の表面がかまぼこ状の微細な凸レンズ５ａ，５ａ…を並べた形状になるように透明なＡＢＳ樹脂をもって成型され、厚みが１ｍｍ以下の場合、そのピッチＰには、０．５ｍｍ以下で最適とされる条件を選択する。
【００１１】
多重画像表示６は、例えば、３つの画像Ａ，Ｂ，Ｃを表示する場合には、Ｐ／３ｍｍに巾を合わせて各画像Ａ，Ｂ，Ｃをそれぞれ分割して画像スライスＡ１，Ａ２…、Ｂ１，Ｂ２…、Ｃ１，Ｃ２…とし、それを図２に示すように順に配列してレンチキュラーレンズ５の背面に直接印刷して形成されている。尚、画像は３種類より多く表示する事もでき、また、少なくすることもできる。
【００１２】
そして、上述したレンチキュラーレンズ５及び多重画像表示６とが図２に示すように配置されることにより多重画像表示体７が形成され、凸レンズ５ａ，５ａ…の屈折率の影響で多重画像が見る角度によって異なる画像に見えるようになっている。
【００１３】
このように構成することにより、商品見本１を持って、それを傾けることで色々な画像が模擬画面表示部４に表示される。
【００１４】
尚、多重画像表示６として表示される各画像Ａ，Ｂ，Ｃを例えば、Ａを時間表示時画像、Ｂをメール操作時画像、Ｃをｗｅｂ操作時画像といった具合に実際の携帯電話機において表示される画像と略同様にすることにより、顧客に実際の携帯電話機で何ができるのかを知らせることができる。
【００１５】
尚、上述の実施例では、携帯電話機の商品見本に多重画像表示体を備えたものについて説明したが、モバイルコンピューター等の液晶画面等の画面表示部を有する物の商品見本についても同様に模擬画面表示部に多重画像表示体を備えることにより適宜な商品アピールをすることができる。
【００１６】
また、上述の実施例では多重画像表示６をレンチキュラーレンズ５の背面に直接印刷形成する場合について説明したが、図３に示すように、シート状の平板に多重画像を印刷して多重画像表示を形成し、それをレンチキュラーレンズと重ね合わせて多重画像表示体を形成してもよい。
【００１７】
【発明の効果】
液晶画面等の画面表示部分を模した模擬画面表示部を有する携帯情報機器商品見本において、レンチキュラーレンズと、該レンチキュラーレンズの背面に重ねられ、該レンチキュラーレンズを通して見る角度が変わることにより見える形態が変化する多重画像表示とからなる多重画像表示体を前記模擬画面表示部に備えたことにより、実際の携帯情報機器で表示可能な画面や機能を示すことができ、また、他商品との差別化が図れ、好適に商品のアピールをすることができ、商品の販売促進に貢献する。
【００１８】
また、多重画像表示体は多重画像表示をレンチキュラーレンズの背面に印刷することにより形成されたことにより、ズレのない好適な画像が提供できる。
【００１９】
また、レンチキュラーレンズがＡＢＳ製であることにより、模擬画面表示部の変形を防止することができる。
【図面の簡単な説明】
【図１】本発明に係る携帯情報機器商品見本の実施の形態の一例を示す斜視図である。
【図２】同上の多重画像表示体の原理を示す断面図である。
【図３】多重画像表示体の他の実施の形態を示す分解斜視図である。
【符号の説明】
１　商品見本（外観モックアップ）
２　外殻ケース
３　模擬キーボードスイッチ
４　模擬画面表示部
５　レンチキュラーレンズ
５ａ　凸レンズ
６　多重画像表示
７　多重画像表示体
Ａ，Ｂ，Ｃ　表示画像
【図１】
2004004747.tif 000003
【図２】
2004004747.tif 000004
【図３】
2004004747.tif 000005